(57)【特許請求の範囲】
【請求項１】
記録媒体上にトナー像を形成する画像形成手段と、
加熱手段によって加熱される無端状の定着ベルトと加圧ローラーとで前記記録媒体を挟持搬送することで前記画像形成手段によって前記記録媒体上に形成された未定着トナーを定着する定着手段と、
前記加熱手段に所定周波数の高周波電力を投入する電力投入手段と、
前記高周波電力の電圧値を検知する電圧検知手段と、
前記電力投入手段を制御する制御手段と、
前記制御手段によって各種情報を報知する入出力手段と、
前記定着ベルトが正常である場合の前記高周波電力の第１の電圧値を含む初期情報を予め記憶する記憶手段と、
前記定着ベルトの温度を検出する温度検出手段と、
前記電力投入手段に投入される前記高周波電力を生成するために交流電源から供給される交流電力の電圧を入力電圧として検知する入力電圧検知部と、
を備え、
前記初期情報には、前記定着ベルトに異常が発生した場合を想定して予め求められる前記高周波電力の電圧値の変動範囲の閾値として、少なくとも前記入出力手段によって異常の発生を報知する段階の第１の境界値と前記加熱手段による加熱を停止させる段階の第２の境界値とを含み、
前記記憶手段には、前記初期情報として、前記入力電圧、前記高周波電力の所定周波数、前記定着ベルトの温度、第２の電圧値、前記第１の境界値、及び前記第２の境界値の組み合わせが、複数のセット記憶されており、
前記定着ベルトは、前記加熱手段に投入される高周波電力によって発生する電磁誘導により渦電流を生じ、当該渦電流によって発熱し得る導体層を有し、
前記制御手段は、
前記電圧検知手段によって逐次測定する前記第２の電圧値と前記初期情報とに基づいて前記定着ベルトの状態を判断し、当該定着ベルトに異常が発生していると判断した場合には前記入出力手段によって異常の発生を報知するか、または前記電力投入手段を制御して前記加熱手段に投入する高周波電力を遮断し、
前記第２の電圧値が前記第１の境界値を超えた場合に前記入出力手段によって異常の発生を報知し、当該第２の電圧値が前記第２の境界値を超えた場合に前記電力投入手段を制御して前記加熱手段に投入する高周波電力を遮断し、
前記入力電圧、前記高周波電力の所定周波数、前記定着ベルトの温度及び駆動電圧をもとに、前記複数のセットから一のセットを選択し、前記第１の境界値、及び前記第２の境界値を決定することを特徴とする画像形成装置。
【請求項２】
前記制御部は、不具合が発生した場合に、選択されている前記セットと関連づけて不具合の履歴を記録することを特徴とする請求項１に記載の画像形成装置。
【発明の詳細な説明】
【技術分野】
【０００１】
本発明は、記録紙等に画像形成する際に加熱定着処理を伴う画像形成装置に関する。
【背景技術】
【０００２】
乾式電子写真方式を用いる複写機、ファクシミリ、複合機等の画像形成装置では一般に、感光体の表面に静電気を用いてトナー（toner、微粒状の発色剤）で画像を形成し、この画像を記録紙等に転写した後、記録紙等を加熱および加圧することによって、トナーを定着させる。
加熱・加圧の方法としては、加熱ローラーの内側からヒーターで加熱する方法や、その加熱ローラーで定着ベルトを加熱し、定着ベルトを加圧ローラーで挟み込む方法、さらには定着ベルトをエネルギー効率の良いＩＨ（Ｉnduction Ｈeating、電磁誘導加熱式）で発熱させ、加圧ローラーで挟み込む方法等がある。
【０００３】
上述のように定着処理に定着ベルトを用いた場合、定着ベルトが破損すると本来は定着ベルトを発熱させるＩＨコイルが異常過熱することもあるが、この過熱によって様々な事故に至らないように、対策を施しておく必要がある。
【先行技術文献】
【特許文献】
【０００４】
【特許文献１】特開２０１１−１２８３８３号公報
【発明の概要】
【発明が解決しようとする課題】
【０００５】
例えば特開２０１１−１２８３８３号公報には、ベルトの漏れ磁束を検知するアンテナで磁束の状態を監視し、例えば磁束密度が所定の閾値を超えた場合に異常だと判断して定着処理を停止する構成が示されている。
しかしながら上述のような例では、磁束を検知するためのアンテナを定着ユニット内に設ける必要があるので、空間が制約される他、構成が複雑になり、コスト面でも制約が生じる。
【０００６】
さて、定着ベルトを用いた定着ユニットにおいては、この定着ベルトが断裂・破損したような場合、定着ベルトを張架してあるローラーが回転しなくなる。そこで一般には、張架ローラーの回転停止を検出すると加熱を停止させる制御構造を有している。
ところが、例えば定着ベルトの中央部分が破損した場合には、張架ローラーが回転し続けてしまうことがある。このような場合は加熱が停止しないため、ローラーの温度が上昇し続けてしまう。
【０００７】
こうした加熱・加圧定着を行う定着ユニットの中では、サーミスター等の温度検出素子や位置検出素子を配し、各部の温度や記録紙等の位置を予測して、記録紙がローラー等に巻き付く等のＪＡＭ（紙詰まり）を検知している。
しかしながら、定着ユニット内のメンテナンスでもＪＡＭした記録紙等を見つけられない場合や、ＪＡＭした記録紙を取り除く際に記録紙が破れて、その一部が定着ユニット内に残ってしまう場合がある。即ち、定着ベルトが破損した際には、適切に定着ベルトへの加熱を停止しないと、ＪＡＭした記録紙等の過熱を引き起こし、想定外の事故につながりかねない。
【０００８】
本発明は、かかる点に鑑みてなされたものであり、その目的とするところは、複雑な構成を追加することなく定着ベルトの異常を適切に検知し、異常発生時には定着ベルトへの加熱を停止させたり、異常の発生を報知することができる画像形成装置を提供することにある。
【課題を解決するための手段】
【０００９】
本発明の画像形成装置は、記録媒体上にトナー像を形成する画像形成手段と、加熱手段によって加熱される無端状の定着ベルトと加圧ローラーとで前記記録媒体を挟持搬送することで前記画像形成手段によって前記記録媒体上に形成された未定着トナーを定着する定着手段と、前記加熱手段に所定周波数の高周波電力を投入する電力投入手段と、前記高周波電力の電圧値を検知する電圧検知手段と、前記電力投入手段を制御する制御手段と、前記制御手段によって各種情報を報知する入出力手段と、前記定着ベルトが正常である場合の前記高周波電力の第１の電圧値を含む初期情報を予め記憶する記憶手段と、前記定着ベルトの温度を検出する温度検出手段と、前記電力投入手段に投入される前記高周波電力を生成するために交流電源から供給される交流電力の電圧を入力電圧として検知する入力電圧検知部と、を備え、前記初期情報には、前記定着ベルトに異常が発生した場合を想定して予め求められる前記高周波電力の電圧値の変動範囲の閾値として、少なくとも前記入出力手段によって異常の発生を報知する段階の第１の境界値と前記加熱手段による加熱を停止させる段階の第２の境界値とを含み、前記記憶手段には、前記初期情報として、前記入力電圧、前記高周波電力の所定周波数、前記定着ベルトの温度、第２の電圧値、前記第１の境界値、及び前記第２の境界値の組み合わせが、複数のセット記憶されており、前記定着ベルトは、前記加熱手段に投入される高周波電力によって発生する電磁誘導により渦電流を生じ、当該渦電流によって発熱し得る導体層を有し、前記制御手段は、前記電圧検知手段によって逐次測定する前記第２の電圧値と前記初期情報とに基づいて前記定着ベルトの状態を判断し、当該定着ベルトに異常が発生していると判断した場合には前記入出力手段によって異常の発生を報知するか、または前記電力投入手段を制御して前記加熱手段に投入する高周波電力を遮断し、前記第２の電圧値が前記第１の境界値を超えた場合に前記入出力手段によって異常の発生を報知し、当該第２の電圧値が前記第２の境界値を超えた場合に前記電力投入手段を制御して前記加熱手段に投入する高周波電力を遮断し、前記入力電圧、前記高周波電力の所定周波数、前記定着ベルトの温度及び駆動電圧をもとに、前記複数のセットから一のセットを選択し、前記第１の境界値、及び前記第２の境界値を決定する。
また、前記制御部は、不具合が発生した場合に、選択されている前記セットと関連づけて不具合の履歴を記録してもよい。
【発明の効果】
【００１０】
本発明によれば、定着ユニット内でＩＨ定着ベルト等の一部が破損した際、定着ユニット内に記録紙等が残っていても、この記録紙等の過熱に起因する事故は抑制されるという効果を奏する。
【図面の簡単な説明】
【００１１】
【図１】本発明の画像形成装置に係る画像形成ユニットと定着ユニットおよびこれらの制御に係るブロック図、ならびにこれらの関係を示す模式図である。
【図２】本実施の形態における電気的構成を示すブロック図である。
【図３】本実施の形態における記憶部に記憶される情報の一例を示す図である。
【図４】本実施の形態における制御部の処理の流れを示すフローチャートである。
【図５】本実施の形態の変形例に係るブロック図である。
【図６】本実施の形態の記憶部に記憶される情報の記憶形式について、別の例を示す図である。
【発明を実施するための形態】
【００１２】
次に、本発明の実施の形態を、図面を参照して具体的に説明する。本発明の画像形成装置は、電子写真（乾式電子写真）方式を利用した複写機等である。本実施の形態では図１に示す通り、画像形成手段の一例としての画像形成ユニット１１でトナーによって記録媒体の一例としての記録紙Ｐの表面へ形成した画像を、定着手段の一例としての定着ユニット１０で定着させる構成となっている。
【００１３】
画像形成ユニット１１は、画像データに基づいて感光体ドラム上にトナー画像を作成するとともにこの画像を記録紙Ｐに転写する転写ドラムや、記録紙Ｐを搬送する搬送ローラー等（いずれも本発明の特徴部分ではないので、詳細な説明は省略する）から成り、図１における画像形成ユニット１１の下部から取り込んだ記録紙Ｐの記録面にトナー画像を形成し、トナーが未定着の記録紙Ｐを定着ユニット１０へと搬送する。
【００１４】
定着ユニット１０では、ニップ部Ｎにおいて円筒状の加圧ローラー１２が定着ローラー１４側に押圧される構造となっている。
定着ローラー１４は、少なくともその外縁側が弾性素材によって構成されており、加圧ローラー１２との間に定着ベルト１６と記録紙Ｐとを挟み込み、加圧ローラー１２側から押圧される。これにより、定着ベルト１６と記録紙Ｐとがニップ部Ｎにおいて広範にわたり密着する。
【００１５】
定着ベルト１６は、電磁誘導により渦電流が発生し、この渦電流によって電気抵抗成分が発熱する素材から成っており、定着ローラー１４の他、ローラー１８と発熱ローラー２０を通して無端状に張架され、一点鎖線矢印方向に回動する。なおローラー１８は、定着ベルト１６の張りを調節するテンショナーである。
【００１６】
記録紙Ｐは、トナーが未定着の記録面と定着ベルト１６の外面が対向した状態で加圧ローラー１２と定着ローラー１４によって挟み込まれ、加熱・加圧される。このため発色剤であるトナーが溶融し、記録紙Ｐ（の記録面）に定着するが、同時に溶融したトナーによって記録紙Ｐが定着ベルト１６に貼り着いてしまう。この、貼り着いた記録紙Ｐと定着ベルト１６を引き剥がすために、ニップ部Ｎの近傍に分離板３０が設けられている。
【００１７】
一般に、本実施の形態に示すような画像形成装置では、記録紙Ｐと定着ベルト１６との剥離を容易にする等のために、記録紙Ｐの記録面の端部には、画像を形成しない余白部を設ける。
従って記録紙Ｐの余白部は定着ベルト１６に貼り着かないので、定着ベルト１６から浮き上がり、間隙ができる。分離板３０の一端部は、ニップ部Ｎから排出された記録紙Ｐと定着ベルト１６との間隙に入り込むことによって、貼り着いている記録紙Ｐと定着ベルト１６とを剥離させる。このようにして定着ベルト１６から剥離された記録紙Ｐは、二点鎖線矢印方向に搬送される。
【００１８】
本実施の形態においては、定着ベルト１６の近傍にサーミスター３３が設けられている。サーミスター３３は、定着ベルト１６に接触して温度を検知するものであっても、接触せずに直近傍から温度を検知するものであっても良い。
本実施の形態の定着ユニット１０においては、定着ベルト１６が発熱ローラー２０に張架される部位をほぼ覆うように、加熱手段の一例としてのＩＨコイルユニット４０が設けられている。このＩＨコイルユニット４０には所定周波数の高周波電力が投入され（本実施の形態においては、ＩＨコイルユニット４０に高周波電力を供給することを、投入と称する）、隣接する定着ベルト１６の対向部分に電磁誘導による渦電流を発生させ、これにより定着ベルト１６を発熱させるものである。
【００１９】
本発明が適用される画像形成装置では、例えば定着ユニット１０の外部に制御手段の一例としての制御部５０と入出力手段の一例としての操作部５１を有している。また一般に、ＩＨコイルユニット４０に所定周波数（例えば約４０ｋＨｚ）の高周波電力を投入するため、電力投入手段の一例としてのインバーター６０を有している。
【００２０】
インバーター６０は、上述の所定の駆動周波数の高周波信号を出力するＣＰＵ（Ｃentral Ｐrocessing Ｕnit、中央処理装置）やＩＧＢＴ（Ｉnsulated Ｇate Ｂipolar Ｔransistor、絶縁ゲートバイポーラトランジスター）等のスイッチ素子（後述する）を備え、交流電源７０（１００Ｖ〜２４０Ｖの商用電源）から電力が供給される。この電力をスイッチ素子によってオン／オフすることで、所定の駆動周波数・所定波形あるいは所定デューティー比の電力をＩＨコイルユニット４０に供給するものである。
【００２１】
次に、本実施の形態の電気的構成を説明する。図２は、概ね定着ユニット１０の周辺の電気的構成を示している。
なお、この図２において図１に示す各部と対応する部分には同一の符号を付しており、その詳細な説明は省略する。
【００２２】
インバーター６０において、交流電源７０からの電力入力部分には入力回路部７２が設けられている。この入力回路部７２は、過電流保護のヒューズや制御部５０の制御によって通電をオン／オフするリレー、ノイズ成分を阻止するフィルタ等から成る。入力回路部７２を通過した電力は、スイッチ素子７４を介して加圧ローラー１２と、入力電圧検知部６１を介して整流器６２ａとに供給される。
【００２３】
スイッチ素子７４は、加圧ローラー１２内に設けられたヒーター（一例としてハロゲンヒーター）等に供給する電力を制御部５０によって制御する。なお、加圧ローラー１２や定着ローラー１４にはサーミスターが設けられており、これらの温度情報が制御部５０に入力される。
【００２４】
一方の入力電圧検知部６１は、整流器６２ａの直前で、交流電源７０から供給される交流電力の電圧を測定する。ここで測定した入力電圧情報はインバーターＣＰＵ６３に入力される。なお、整流器６２ａによって整流された電力の一部は、直流電源回路６２ｂによって降圧および安定化され、インバーターＣＰＵ６３の動作電力として供給される。
【００２５】
インバーターＣＰＵ６３には、上述の入力電圧情報の他、制御部５０から制御信号が入力される。一方、インバーターＣＰＵ６３は、入力された入力電圧に基づく入力電圧値等のデータを制御部５０へ送る他、ＩＨコイルユニット４０に供給する高周波電力の基となるＰＷＭ（Ｐulse Ｗidth Ｍodulation、パルス幅変調）信号をドライバー６３ｄに出力する。
【００２６】
インバーターＣＰＵ６３が出力するＰＷＭ信号は、ドライバー６３ｄを介してスイッチ素子６４、６４のゲート（スイッチ素子の形態によってはベース等）に入力される。これによってスイッチ素子６４、６４は整流器６２ａによって整流された電力から高周波電力を生成し、この高周波電力は電圧検知手段の一例としての駆動電圧検知部６６を介してＩＨコイルユニット４０に供給される。
駆動電圧検知部６６は、一例としてカレントトランスあるいはカップリングコンデンサーと分圧抵抗等から成るもので、共振回路４０’の両端電圧を測定し、この測定情報は制御部５０に入力される
【００２７】
本実施の形態のＩＨコイルユニット４０は、ＩＨコイル４２とセンターコア４４とから成る。このセンターコア４４は、誘導電磁界を適切に定着ベルト１６に伝えるとともにＩＨコイル４２のインダクタンスを調整するためのものである。
また、ＩＨコイル４２とで共振回路４０’が構成されるように、ＩＨコイルユニット４０と並列に共振コンデンサー４６が接続されている。この共振コンデンサー４６は一例として、ＩＨコイル４２のインダクタンスと合わせて、共振回路４０’の共振周波数がＩＨコイルユニット４０に供給する高周波電力の駆動周波数と等しくなるような静電容量に決められる。
【００２８】
制御部５０は、上述のように加圧ローラー１２や定着ローラー１４に設けられたサーミスターから温度測定信号が入力され、また入力回路部７２内のリレーやスイッチ素子７４を制御し、ＩＨコイルユニット４０に供給する高周波電力を制御する制御信号をインバーターＣＰＵ６３へ送る。
加えて制御部５０は、演算部５２と記憶手段の一例としての記憶部５４とを有している。また制御部５０には、定着ベルト１６の温度を測定するサーミスター３３から温度情報が入力される。さらに制御部５０は、操作部５１とデータのやり取りをする。この操作部５１は、図示は省略するが、キーボードや液晶等の表示器もしくはタッチパネル、これらに付随するバックライト、ブザーやスピーカー等から構成される。
【００２９】
本発明は、共振回路４０’のインピーダンス変化に基づいて定着ベルト１６の破損を検出する。その判断基準となる各種情報は、記憶部５４に記憶しておく。図３は、本実施の形態における記憶部５４の領域割り付けの一例を示す図（メモリーマップ）である。
記憶部５４は、一般的にＨＤＤ（Ｈard Ｄisk Ｄrive：固定磁気記憶装置）やフラッシュメモリー（flash memory：電気的書き換え可能半導体記憶装置の一種）、ＲＡＭ（Ｒandom Ａccess Ｍemory：随時読み書き可能記憶装置）、ＲＯＭ（Ｒead Ｏnly Ｍemory：読み出し専用記憶装置）等の組み合わせから成るものであり、多くは、記憶の保持に動作電力を必要とする揮発領域と、電源電力が無くても記憶を保持する不揮発領域とを有している。
【００３０】
本実施の形態の記憶部５４でも、一例として揮発領域と不揮発領域とを有し、揮発領域には逐次測定データや画像データ等を記憶させる。逐次測定データは入力電圧や駆動周波数等、定着ベルト１６の状態を知るためのデータとしてインバーターＣＰＵ６３や駆動電圧検知部６６等から入力されるデータである。
画像データは、記録紙Ｐ上に形成される画像のデータであり、この画像形成装置外から入力される画像の画素構成や色構成を補正・変更したり、同一ページを複数形成（複製）する場合に備えて一時的に記憶される。
【００３１】
不揮発領域には、一例として本実施の形態に係る画像形成装置の保守等の際に必要となる不具合履歴が記憶される他、本発明の特徴部分に係る初期データ等が記憶される。
この初期データは、定着ベルト１６の状態を判定して不具合を検知するための基準データとして、例えば入力電圧や駆動周波数、定着ベルト１６の温度として示される可能性の有る数値、およびこれらの数値から算出され定着ベルト１６他の不具合を判定するための基準となる閾値である。またこの初期データは、工場での組み立て時や出荷・納品に際した使用者（の使用環境や地域仕向け）毎の調整時、あるいは保守点検や部品交換の際に記憶される。
【００３２】
ここで、記憶部５４に予め記憶される閾値について説明する。上述の通り本発明では、共振回路４０’のインピーダンス変化に基づいて定着ベルト１６の破損を検出する。
共振回路４０’を構成するＩＨコイル４２は、センターコア４４を介して定着ベルト１６と結合している。このため、定着ベルト１６が極端に変形したり破損により面積が変化したり、あるいは破断することによって、共振回路４０’のインピーダンスが変化する。この共振回路４０’（ＩＨコイルユニット４０）に供給される高周波電力の周波数（駆動周波数）が一定である場合、インピーダンスが変化することで、駆動電圧が変化することになる。なお、言うまでもなく、インピーダンスの変化が大きくなる程、駆動電圧の変化も大きくなる。
【００３３】
そこで一例として工場での組み立て時に、入力電圧や駆動周波数、定着ベルト１６の温度が一定の初期状態として、その際の駆動電圧の値を測定しておく。
こうした初期状態の駆動電圧に対して、例えば定着ベルト１６に変形や部分的な欠損等の軽微な破損が生じた際に想定される変化比率であるｎ１パーセント増減した値を閾値１（一例として増加した値を上限、減少した値を下限）とする。
また、定着処理時に熱を伝え切れずに定着ベルト１６の過熱を引き起こす可能性が出るまでに定着ベルト１６が破損した際に想定される変化比率であるｎ２パーセント（ｎ２＞ｎ１）増減した値を閾値２（一例として増加した値を上限、減少した値を下限）とする。
【００３４】
次に、定着ベルトの異常の検知方法と、異常を検知した際の動作の一例について、図４を用いて説明する。この図４に示す処理は、ＩＨコイルユニット４０に高周波電力を供給する場合に、他の画像形成処理と並行して（時分割）で行うものである。
図４の処理では、まずＳｔｅｐ１として操作部５１から各種操作を受け付ける。
【００３５】
Ｓｔｅｐ２では、前回の処理（駆動電圧の判定）から所定の時間（一例として１００ミリ秒）が経過したか否かを判断し、経過していなければ図４の処理の先頭（Ｓｔｅｐ１）に戻る。
Ｓｔｅｐ２で、前回の処理から所定の時間が経過していれば、次のＳｔｅｐ３として駆動電圧検知部６６から駆動電圧情報を取り込む他、インバーターＣＰＵ６３やサーミスター３３から諸情報を取り込む。
【００３６】
駆動電圧情報を取り込んだ後、Ｓｔｅｐ４としてこの駆動電圧が閾値１の範囲内であるか否かを判断する。即ち、Ｓｔｅｐ３で取り込んだ駆動電圧が閾値１の範囲内であれば、共振回路４０’のインピーダンスに大きな変化は無く、定着ベルト１６に異常は発生していないことになるので、図４の処理の先頭（Ｓｔｅｐ１）に戻る。
【００３７】
Ｓｔｅｐ４で、駆動電圧が閾値１の範囲を逸脱している場合には、共振回路４０’のインピーダンスが変化した可能性があることを意味しており、定着ベルト１６に何等かの異常が発生したとも判断することができる。
この場合にはＳｔｅｐ５として、操作部５１によって「メンテナンスが必要です」等のメッセージを報知する。
【００３８】
Ｓｔｅｐ５の後、Ｓｔｅｐ６として駆動電圧が閾値２の範囲内であるか否かを判断する。即ち、駆動電圧が閾値２の範囲内であれば、共振回路４０’のインピーダンスが変化した可能性はあるものの（例えば、駆動電圧検知部６６内の素子の劣化等によって特性が変化した場合にも、駆動電圧が変化することがある）、定着ベルト１６の加熱を伴う他の処理の続行は可能なので、図４の処理の先頭（Ｓｔｅｐ１）に戻る。
【００３９】
Ｓｔｅｐ６で、駆動電圧が閾値２の範囲を逸脱している場合には、共振回路４０’のインピーダンスに大きな変化があった可能性を示しており、定着ベルト１６が過熱状態となったり、他の部位に影響を及ぼす場合もある。
この場合にはＳｔｅｐ７として、ＩＨコイルユニット４０に供給する高周波電力を遮断し、定着ベルト１６の加熱を停止する。
【００４０】
このようにして本発明によれば、複雑な構成を追加することなく、定着ベルトの異常を適切に検知し、異常発生時には定着ベルトへの加熱を停止させたり、異常の発生を報知することができる画像形成装置の制御方法を実現することができる。
【００４１】
なお、本発明が上記各実施の形態に限定されず、本発明の技術思想の範囲内において、各実施の形態は適宜変更され得ることは明らかである。
例えば、図５に示すブロック図は、図２に示す構成の変形例である。図５に示す例では、ＩＨコイル４２と直列に接続される共振コンデンサー４６とによって共振回路４０’を形成している。この場合、駆動電圧検知部６６は共振コンデンサー４６と並列に接続され、共振コンデンサー４６の両端電圧を測定する。また、インバーター６０とＩＨコイルユニット４０との間に、変成器６５を有する場合もある。
このような電気的構成であっても、定着ベルト１６に発生した異常を検知する方法は、上述した実施の形態の説明と同様である。
【００４２】
また、記憶部５４に予め記憶する閾値は、閾値１と閾値２に限定されない。例えば、さらに多くの組み合わせ（閾値１、閾値２、閾値３・・・）を有することで、より緻密に定着ベルト１６や他の各部の状態を判別したり、状態に応じて複数の報知内容や処理動作を使い分けることが可能になる。
【００４３】
さらに、例えば図３における記憶部５４の領域割り付けでは、入力電圧や駆動周波数が１つの値の場合の閾値１、閾値２、閾値３・・・のみを示しているが、入力電圧や駆動周波数が変われば各閾値も変化する。そこで図６に示すように、記憶部５４に初期データの組み合わせを記憶する領域を複数設けても良い。
この場合、図４で説明したＳｔｅｐ４あるいはＳｔｅｐ６では、Ｓｔｅｐ３で取り込んだ諸情報が最も近似する初期データの組み合わせ１、２・・・ｎを選択し、その中の閾値１、閾値２、閾値３・・・に基づいて判断する。
【００４４】
一方、記憶する閾値を閾値１のみとする（上述の実施の形態では閾値２として記憶した内容を閾値１の領域に記憶する）ことで、処理を簡素化したり、記憶部５４の記憶容量（許容量）を小さくすることもできる。この場合、図４に示すフローチャートではＳｔｅｐ６は適用外（不要）となり、さらにＳｔｅｐ５を省略しても本発明の主たる目的を達成することができる。
【００４５】
さらに、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４６】
１０  定着ユニット
１１  画像形成ユニット
１２  加圧ローラー
１４  定着ローラー
１６  定着ベルト
３３  サーミスター
４０  ＩＨコイルユニット
４０’  共振回路
４２  ＩＨコイル
４６  共振コンデンサー
５０  制御部
５１  操作部
５２  演算部
５４  記憶部
６０  インバーター
６１  入力電圧検知部
６３  インバーターＣＰＵ
６４  スイッチ素子
６６  駆動電圧検知部
Ｐ  記録紙
【図１】
0006026381.tif 000002
【図２】
0006026381.tif 000003
【図３】
0006026381.tif 000004
【図４】
0006026381.tif 000005
【図５】
0006026381.tif 000006
【図６】
0006026381.tif 000007